(57)【要約】  本開示は、音声/データ通信システムで使用するための電気コネクタ又はジャック組立体/ハウジングを提供する。より詳細には、本開示は、可動ロック部材を備えるモジュラジャック組立体を提供する。本開示は、ジャックパネル又はジャック表面板との間で容易に固定及び/又は固定解除されるジャック組立体/ハウジングのための、改良されたシステム/設計を提供する。例示的な実施形態では、本開示は、可動ロック部材を備える有利なモジュラジャック組立体、及び関連した組立体を利用することにより、ジャック組立体/ハウジングをジャックパネル/表面板との間で(例えば、現場で)容易に固定及び/又は固定解除するための、使い勝手が良く、低コストで効果的なシステム及び方法を提供する。【選択図】図１
2013541160.tif 000002
【特許請求の範囲】
【請求項１】
前面を画定するハウジングと、
前記ハウジングに解放可能に固定される可動ロック部材と
を含む、電気コネクタ組立体であって、
前記可動ロック部材が、前記ハウジングを受容器部材の受容空洞内の第1の位置まで移動可能とするために、前記前面から離れる方向に移動されるように構成及び寸法取りされており、
前記可動ロック部材が、前記ハウジングが前記受容空洞内の第2の位置まで移動した後で前記ハウジングを前記受容空洞内に取り外し可能にロックするために、前記ハウジングの前記前面の方へ移動されるように構成及び寸法取りされている、組立体。
【請求項２】
前記前面が、前記前面から延在する第1のフランジをさらに備え、前記受容器部材が第1の突起をさらに備え、前記第1のフランジが、前記ハウジングが前記第1の位置まで移動されるときには前記第1の突起を避けるように、構成及び寸法取りされており、
前記ハウジングが前記第2の位置にあるときには、前記第1のフランジが前記第1の突起にロッキング係合される、請求項1に記載の組立体。
【請求項３】
前記ハウジングが左及び右の側面をさらに備え、前記左及び右の側面のそれぞれが溝を備え、
前記受容器部材が第1及び第2の突起をさらに備え、前記ハウジングが前記第1の位置にあるときには、前記第1の突起が前記右側面の溝内に位置決めされ、また前記第2の突起が前記左側面の溝内に位置決めされる、請求項1に記載の組立体。
【請求項４】
前記ハウジングが前記第1の位置から前記第2の位置まで移動されるときに、前記第1及び第2の突起が前記右及び左の側面の溝内を移行する、請求項3に記載の組立体。
【請求項５】
前記ハウジングの前記前面が、前記前面から延在する第2のフランジをさらに備え、前記受容器部材が第2の突起をさらに備え、
前記ハウジングが前記第1の位置にあるときには、前記第2のフランジが前記第2の突起を避けるように位置決めされ、
前記ハウジングが前記第2の位置にあるときには、前記第2のフランジが前記第2の突起にロッキング係合される、請求項2に記載の組立体。
【請求項６】
前記ハウジングの前記前面が、前記前面から延在する第3のフランジ及び第4のフランジをさらに備え、前記受容器部材が第3の突起及び第4の突起をさらに備え、
前記ハウジングが前記第1の位置にあるときには、前記第3のフランジが前記第3の突起を避けるように位置決めされ、また前記第4のフランジが前記第4の突起を避けるように位置決めされ、
前記ハウジングが前記第2の位置にあるときには、前記第3のフランジが前記第3の突起にロッキング係合され、また前記第4のフランジが前記第4の突起にロッキング係合される、請求項5に記載の組立体。
【請求項７】
前記ハウジングが上面をさらに備え、前記可動ロック部材が前記ハウジングの前記上面に解放可能に固定される、請求項1に記載の組立体。
【請求項８】
前記上面が第1及び第2のレールを備え、前記可動ロック部材が第1及び第2のレール拡張部を備え、
前記第1及び第2のレール拡張部を前記第1及び第2のレール内に挿入することにより、前記可動ロック部材が前記ハウジングに解放可能に固定される、請求項7に記載の組立体。
【請求項９】
前記第1及び第2のレールに対する前記レール拡張部の移動を介して前記可動ロック部材が移動する、請求項8に記載の組立体。
【請求項１０】
前記可動ロック部材が前記ハウジングの前記前面の方へ移動して前記ハウジングを前記受容空洞内に取り外し可能にロックすると、前記ハウジングの前記前面と前記可動ロック部材が実質的に同一平面になる、請求項1に記載の組立体。
【請求項１１】
前記可動ロック部材が、ロックヘッド並びに第1及び第2のロックタブをさらに備え、前記可動ロック部材が前記ハウジングの前記前面の方へ移動して前記ハウジングを前記受容空洞内に取り外し可能にロックすると、前記ロックヘッド並びに第1及び第2のロックタブが前記受容器部材にロッキング係合される、請求項1に記載の組立体。
【請求項１２】
前記ハウジングが、受容空間を画定する高密度モジュラ通信ジャックハウジングであり、前記受容空間が、前記受容空間内に挿入された接続組立体から信号を受信するように適合されている、請求項1に記載の組立体。
【請求項１３】
前記受容器部材がベゼルであり、前記ベゼルが、表面板又はワークステーションのプラグ差込口内に位置決めされるように構成及び寸法取りされている、請求項1に記載の組立体。
【請求項１４】
前記ハウジングがジャックハウジングであり、前記受容器部材がベゼルであり、前記ベゼルが複数の受容空洞を有し、各受容空洞が、ジャックハウジングを解放可能に固定するように構成及び寸法取りされている、請求項13に記載の組立体。
【請求項１５】
前記ハウジングがジャックハウジングであり、前記受容器部材がパネル部材であり、前記パネル部材が複数の受容空洞を有し、各受容空洞が、ジャックハウジングを解放可能に固定するように構成及び寸法取りされている、請求項1に記載の組立体。
【請求項１６】
前記可動ロック部材が、細長い近位端部を有する細長い部材である、請求項1に記載の組立体。
【請求項１７】
前記細長い近位端部が、少なくとも一つのケーブル管理要素又はケーブル張力緩和部材を備える、請求項16に記載の組立体。
【請求項１８】
前記細長い近位端部が把持用の材料又は被覆を備える、請求項1に記載の組立体。
【請求項１９】
前記可動ロック部材が前記ハウジングの一部分を画定する、請求項1に記載の組立体。
【請求項２０】
前記ハウジングが、左側面、右側面、及び底面をさらに備え、前記第1のフランジが、(i)前記左又は右の側面を越えて横方向外向きに延在し且つ(ii)前記底面より下に下方に延在する、請求項2に記載の組立体。
【請求項２１】
前記ハウジングが、左側面、及び右側面をさらに備え、前記第2のフランジが、前記左又は右の側面を越えて横方向外向きに延在する、請求項5に記載の組立体。
【請求項２２】
前記可動ロック部材が前記ハウジングの前記前面へ移動して前記ハウジングを前記受容空洞内に取り外し可能にロックすると、前記可動ロック部材のタブが前記ハウジングの凹部に解放可能に係合する、請求項1に記載の組立体。
【請求項２３】
電気コネクタ組立体を取り外し可能にロックするための方法であって、
前面を画定するハウジングを用意するステップと、
可動ロック部材を前記ハウジングに解放可能に固定するステップと、
前記可動ロック部材を前記ハウジングの前記前面から離れる方向に移動させるステップと、
前記ハウジングを受容器部材の受容空洞内の第1の位置まで移動させるステップと、
前記ハウジングを前記受容空洞内の第2の位置まで移動させるステップと、
前記可動ロック部材を前記ハウジングの前記前面の方へ移動させて、前記ハウジングを前記受容空洞内に取り外し可能にロックするステップと
を含む、方法。
【請求項２４】
前記前面が、前記前面から延在する第1のフランジをさらに備え、前記受容器部材が第1の突起をさらに備え、前記ハウジングが前記第1の位置まで移動されるときには、前記第1のフランジが前記第1の突起を避けるように位置決めされ、
前記ハウジングが前記第2の位置にあるときには、前記第1のフランジが前記第1の突起にロッキング係合される、請求項23に記載の方法。
【請求項２５】
前記ハウジングが左及び右の側面をさらに備え、前記左及び右の側面のそれぞれが溝を備え、
前記受容器部材が第2及び第3の突起をさらに備え、前記ハウジングが前記第1の位置にあるときには、前記第2の突起が前記右側面の溝内に位置決めされ、また前記第3の突起が前記左側面の溝内に位置決めされる、請求項24に記載の方法。
【請求項２６】
前記ハウジングが前記第1の位置から前記第2の位置まで移動されるときに、前記第2及び第3の突起が前記右及び左の側面の溝内を移行する、請求項25に記載の方法。
【請求項２７】
前記ハウジングの前記前面が、前記前面から延在する第2のフランジをさらに備え、前記受容器部材が第2の突起をさらに備え、
前記ハウジングが前記第1の位置にあるときには、前記第2のフランジが前記第2の突起を避けるように位置決めされ、
前記ハウジングが前記第2の位置にあるときには、前記第2のフランジが前記第2の突起にロッキング係合される、請求項24に記載の方法。
【請求項２８】
前記ハウジングの前記前面が、前記前面から延在する第3のフランジ及び第4のフランジをさらに備え、前記受容器部材が第3の突起及び第4の突起をさらに備え、
前記ハウジングが前記第1の位置にあるときは、前記第3のフランジが前記第3の突起を避けるように位置決めされ、また前記第4のフランジが前記第4の突起を避けるように位置決めされ、
前記ハウジングが前記第2の位置にあるときには、前記第3のフランジが前記第3の突起にロッキング係合され、また前記第4のフランジが前記第4の突起にロッキング係合される、請求項27に記載の方法。
【請求項２９】
前記ハウジングが上面をさらに備え、前記可動ロック部材が前記ハウジングの前記上面に解放可能に固定される、請求項23に記載の方法。
【請求項３０】
前記上面が第1及び第2のレールを備え、前記可動ロック部材が第1及び第2のレール拡張部を備え、
前記第1及び第2のレール拡張部を前記第1及び第2のレール内に挿入することにより、前記可動ロック部材が前記ハウジングに解放可能に固定される、請求項29に記載の方法。
【請求項３１】
前記第1及び第2のレールに対する前記レール拡張部の移動を介して前記可動ロック部材が移動する、請求項30に記載の方法。
【請求項３２】
前記可動ロック部材が前記ハウジングの前記前面の方へ移動して前記ハウジングを前記受容空洞内に取り外し可能にロックすると、前記ハウジングの前記前面と前記可動ロック部材が実質的に同一平面になる、請求項23に記載の方法。
【請求項３３】
前記可動ロック部材が、ロックヘッド並びに第1及び第2のロックタブをさらに備え、前記可動ロック部材が前記ハウジングの前記前面の方へ移動して前記ハウジングを前記受容空洞内に取り外し可能にロックすると、前記ロックヘッド並びに第1及び第2のロックタブが前記受容器部材にロッキング係合される、請求項23に記載の方法。
【請求項３４】
前記ハウジングが、受容空間を画定する高密度モジュラ通信ジャックハウジングであり、前記受容空間が、前記受容空間内に挿入された接続組立体から信号を受信するように適合されている、請求項23に記載の方法。
【請求項３５】
前記可動ロック部材が前記ハウジングの前記前面へ移動されて前記ハウジングを前記受容空洞内に取り外し可能にロックすると、前記可動ロック部材のタブが前記ハウジングの凹部に解放可能に係合する、請求項23に記載の方法。
【請求項３６】
前面、左側面、及び右側面を画定するハウジングであり、前記前面が、前記前面から延在する第1のフランジを備え、前記左及び右の側面のそれぞれが溝を備える、ハウジングと、
前記ハウジングに解放可能に固定される可動ロック部材と
を含む、電気コネクタ組立体であって、
前記可動ロック部材が、前記ハウジングを受容器部材の受容空洞内の第1の位置まで移動可能とするために、前記前面から離れる方向に移動されるように構成及び寸法取りされており、前記受容器部材が、第1の突起、第2の突起、及び第3の突起を有し、前記第1のフランジが、前記ハウジングが前記第1の位置まで移動されるときに前記第1の突起を避けるように、構成及び寸法取りされており、前記ハウジングが前記第1の位置にあるときには、前記第2の突起が前記右側面の溝内に位置決めされ、また前記第3の突起が前記左側面の溝内に位置決めされ、
前記可動ロック部材が、前記ハウジングが前記受容空洞内の第2の位置まで前記第1の突起の方へ移動した後で、前記ハウジングの前記前面の方へ移動されて、前記ハウジングを前記受容空洞内に取り外し可能にロックするように、構成及び寸法取りされており、前記ハウジングが前記第2の位置にあるときには、前記第1のフランジが前記第1の突起にロッキング係合されて、前記ハウジングが前記受容空洞から取り外されるのを防止する、組立体。
【請求項３７】
前記ハウジングが前記第1の位置から前記第2の位置まで移動されるときに、前記第2及び第3の突起が前記右及び左の側面の溝内を移行する、請求項36に記載の組立体。
【発明の詳細な説明】
【技術分野】
【０００１】
本開示は一般に、音声/データ通信システムで使用するための電気コネクタ又はジャック組立体/ハウジングに関し、より詳細には、可動ロック部材を備えるモジュラジャック組立体に関する。
【背景技術】
【０００２】
一般に、高周波データ伝送媒体とインタフェースするためのデバイスが知られている。例えば、接続組立体(例えば、プラグコネクタ)内の接点との電気的なインタフェース及び通信を促進し、さらに様々な媒体(例えば、非シールドツイストペア(UTP)媒体、光ファイバケーブル等)と情報をやりとりする、複数の接点を有する電気コネクタ又はジャック組立体/ハウジング(例えば、モジュラ通信ジャック)が開発されてきた。ジャックハウジングの接点は通常、ジャックハウジングの受容空間に導入されたデータ信号伝送媒体プラグ要素/接点と電気通信するように位置決めされている。一般に、UTP媒体は、音声及び/又はデータの通信において幅広い用途を有する、柔軟で低コストの媒体である。さらに、標準的なモジュラジャックハウジングは通常、様々な媒体製造業者間に互換性及び嵌合性(matability)を提供するFCCパート68.500規格に従って、構成及び寸法取りされている。
【０００３】
一般に、多くのデータ伝送媒体は、一緒に束ねられた線の複数の対を含む。通信システムは通常、データ伝送のために、多くのそのような媒体(例えば、UTP媒体)及びコネクタ(例えば、ジャック/プラグ組合せ)を組み込む。例えば、複数のジャック組立体/ハウジングを、各ジャック組立体/ハウジングをジャックパネル若しくは同様のものに解放可能に固定及び/又は付着して、マルチギャングのジャックパネル又は同様のものにおいて互いに隣接して位置決めすることができる。或いは、単一のジャック組立体/ハウジング又は複数のジャック組立体/ハウジングを、ジャック表面板に解放可能に固定する(例えば、シングルギャング又はマルチギャングのジャック表面板に関連付けられたベゼルに固定する)ことができる。
【０００４】
一般に、ジャックパネル若しくはジャック表面板との間で容易に固定/付着又は固定解除/付着解除されるジャック組立体/ハウジングを有することが、望ましい。例えば、操作者又は技術者は、困難な状況下(例えば、多重に隣接したジャック組立体/ハウジング、媒体、コネクタ/プラグ組合せ等のすぐそば及び/又はその隣といった、狭く且つ/又は限られた作業空間)でジャック組立体/ハウジングをジャックパネル/表面板との間で固定又は固定解除する必要に、頻繁に直面する。
【０００５】
しかし、現在の慣行は、従来のジャック組立体/ハウジングを既存のジャックパネル/表面板との間で固定/付着又は固定解除/付着解除することを、操作者又は技術者にとって非常に困難で時間のかかる可能性のあるものにしている。例えば、既存のシステム/方法を用いると、操作者は通常、ジャック組立体/ハウジングをジャックパネル/表面板との間で固定/付着又は固定解除/付着解除するために、ジャック組立体/ハウジングを、ジャックパネル/表面板との間で、手作業で、押し込んだり、押したり、トルクをかけたり、及び/又は移動させたりする必要がある。そのような手順は、非常に困難で時間のかかる可能性があり、付着/付着解除すべきジャック組立体/ハウジングが、狭く且つ/又は限られた作業空間に設置されている場合、及び/又は、多重に隣接したジャック組立体/ハウジング、媒体、コネクタ/プラグ組合せ等のすぐそば及び/又は隣にある場合には、特にそうである。
【発明の概要】
【発明が解決しようとする課題】
【０００６】
したがって、今日までの努力にもかかわらず、依然として、ジャックパネル又はジャック表面板との間で容易に固定及び/又は固定解除されるジャック組立体/ハウジングのための改良されたシステム/設計が必要とされている。上記その他の非効率性、及び改良の機会は、本開示のシステム、組立体、及び方法によって対処及び/又は克服される。
【課題を解決するための手段】
【０００７】
本開示は、音声/データ通信システムで使用するための改良された電気コネクタ又はジャック組立体/ハウジングを提供する。より詳細には、本開示は、可動ロック部材を備える有利なモジュラジャック組立体を提供する。一般に、本開示は、ジャックパネル又はジャック表面板との間で容易に固定及び/又は固定解除されるジャック組立体/ハウジングのための改良されたシステム/設計を提供する。例示的な実施形態では、本開示は、可動ロック部材を備える有利なモジュラジャック組立体、及び関連した組立体を利用することにより、ジャック組立体/ハウジングをジャックパネル/表面板との間で(例えば、現場で)容易に固定及び/又は固定解除するための、改良され、使い勝手が良く、低コストで効率的なシステム及び方法を提供する。
【０００８】
本開示は、前面を画定するハウジングと、ハウジングに解放可能に固定される可動ロック部材と、を備える電気コネクタ組立体であって、可動ロック部材が、ハウジングを受容器部材の受容空洞内の第1の位置まで移動可能とするために、前面から離れる方向に移動されるように構成及び寸法取りされており、可動ロック部材が、ハウジングが受容空洞内の第2の位置まで移動した後でハウジングを受容空洞内に取り外し可能にロックするために、ハウジングの前面の方へ移動されるように構成及び寸法取りされている、電気コネクタ組立体を提供する。
【０００９】
本開示はまた、前面が、前面から延在する第1のフランジをさらに備え、受容器部材が第1の突起をさらに備え、第1のフランジが、ハウジングが第1の位置まで移動されるときには第1の突起を避けるように、構成及び寸法取りされており、ハウジングが第2の位置にあるときには、第1のフランジが第1の突起にロッキング係合される、電気コネクタ組立体を提供する。本開示はまた、ハウジングが左及び右の側面をさらに備え、左及び右の側面のそれぞれが溝を備え、受容器部材が第1及び第2の突起をさらに備え、ハウジングが第1の位置にあるときには、第1の突起が右側面の溝内に位置決めされ、また第2の突起が左側面の溝内に位置決めされる、電気コネクタ組立体を提供する。
【００１０】
本開示はまた、ハウジングが第1の位置から第2の位置まで移動されるときに、第1及び第2の突起が右及び左の側面の溝内を移行する、電気コネクタ組立体を提供する。本開示はまた、ハウジングの前面が、前面から延在する第2のフランジをさらに備え、受容器部材が第2の突起をさらに備え、ハウジングが第1の位置にあるときには、第2のフランジが第2の突起を避けるように位置決めされ、ハウジングが第2の位置にあるときには、第2のフランジが第2の突起にロッキング係合される、電気コネクタ組立体を提供する。
【００１１】
本開示はまた、ハウジングの前面が、前面から延在する第3のフランジ及び第4のフランジをさらに備え、受容器部材が第3の突起及び第4の突起をさらに備え、ハウジングが第1の位置にあるときには、第3のフランジが第3の突起を避けるように位置決めされ、また第4のフランジが第4の突起を避けるように位置決めされ、ハウジングが第2の位置にあるときには、第3のフランジが第3の突起にロッキング係合され、また第4のフランジが第4の突起にロッキング係合される、電気コネクタ組立体を提供する。
【００１２】
本開示はまた、ハウジングが上面をさらに備え、可動ロック部材がハウジングの上面に解放可能に固定される、電気コネクタ組立体を提供する。本開示はまた、上面が第1及び第2のレールを備え、可動ロック部材が第1及び第2のレール拡張部を備え、第1及び第2のレール拡張部を第1及び第2のレール内に挿入することにより、可動ロック部材がハウジングに解放可能に固定される、電気コネクタ組立体を提供する。本開示はまた、第1及び第2のレールに対するレール拡張部の移動を介して可動ロック部材が移動する、電気コネクタ組立体を提供する。
【００１３】
本開示はまた、可動ロック部材がハウジングの前面の方へ移動してハウジングを受容空洞内に取り外し可能にロックすると、ハウジングの前面と可動ロック部材が実質的に同一平面になる、電気コネクタ組立体を提供する。本開示はまた、可動ロック部材が、ロックヘッド並びに第1及び第2のロックタブをさらに備え、可動ロック部材がハウジングの前面の方へ移動してハウジングを受容空洞内に取り外し可能にロックすると、ロックヘッド並びに第1及び第2のロックタブが受容器部材にロッキング係合される、電気コネクタ組立体を提供する。
【００１４】
本開示はまた、ハウジングが、受容空間を画定する高密度モジュラ通信ジャックハウジングであり、受容空間が、受容空間内に挿入された接続組立体から信号を受信するように適合されている、電気コネクタ組立体を提供する。本開示はまた、受容器部材がベゼルであり、ベゼルが、表面板又はワークステーションのアウトレット内に位置決めされるように構成及び寸法取りされている、電気コネクタ組立体を提供する。本開示はまた、ハウジングがジャックハウジングであり、受容器部材がベゼルであり、ベゼルが複数の受容空洞を有し、各受容空洞が、ジャックハウジングを解放可能に固定するように構成及び寸法取りされている、電気コネクタ組立体を提供する。本開示はまた、ハウジングがジャックハウジングであり、受容器部材がパネル部材であり、パネル部材が複数の受容空洞を有し、各受容空洞が、ジャックハウジングを解放可能に固定するように構成及び寸法取りされている、電気コネクタ組立体を提供する。
【００１５】
本開示はまた、可動ロック部材が、細長い近位端部を有する細長い部材である、電気コネクタ組立体を提供する。本開示はまた、細長い近位端部が、少なくとも一つのケーブル管理要素又はケーブル張力緩和部材を備える、電気コネクタ組立体を提供する。本開示はまた、細長い近位端部が把持用の材料又は被覆を備える、電気コネクタ組立体を提供する。本開示はまた、可動ロック部材がハウジングの一部を画定する、電気コネクタ組立体を提供する。
【００１６】
本開示はまた、ハウジングが、左側面、右側面、及び底面をさらに備え、第1のフランジが、(i)左又は右の側面を越えて横方向外向きに延在し且つ(ii)底面より下に下向きに延在する、電気コネクタ組立体を提供する。本開示はまた、ハウジングが、左側面及び右側面をさらに備え、第2のフランジが、左又は右の側面を越えて横方向外向きに延在する、電気コネクタ組立体を提供する。本開示はまた、可動ロック部材がハウジングの前面へ移動してハウジングを受容空洞内に取り外し可能にロックすると、可動ロック部材のタブがハウジングの凹部に解放可能に係合する、電気コネクタ組立体を提供する。
【００１７】
本開示はまた、電気コネクタ組立体を取り外し可能にロックするための方法であって、前面を画定するハウジングを用意するステップと、可動ロック部材をハウジングに解放可能に固定するステップと、可動ロック部材をハウジングの前面から離れる方向に移動させるステップと、ハウジングを受容器部材の受容空洞内の第1の位置まで移動させるステップと、ハウジングを受容空洞内の第2の位置まで移動させるステップと、可動ロック部材をハウジングの前面の方へ移動させて、ハウジングを受容空洞内に取り外し可能にロックするステップとを含む、方法を提供する。
【００１８】
本開示はまた、前面が、前面から延在する第1のフランジをさらに備え、受容器部材が第1の突起をさらに備え、ハウジングが第1の位置まで移動されるときには、第1のフランジが第1の突起を避けるように位置決めされ、ハウジングが第2の位置にあるときには、第1のフランジが第1の突起にロッキング係合される、電気コネクタ組立体を取り外し可能にロックするための方法を提供する。
【００１９】
本開示はまた、ハウジングが左及び右の側面をさらに備え、左及び右の側面のそれぞれが溝を備え、受容器部材が第2及び第3の突起をさらに備え、ハウジングが第1の位置にあるときには、第2の突起が右側面の溝内に位置決めされ、また第3の突起が左側面の溝内に位置決めされる、電気コネクタ組立体を取り外し可能にロックするための方法を提供する。
【００２０】
本開示はまた、ハウジングが第1の位置から第2の位置まで移動されるときに、第2及び第3の突起が右及び左の側面の溝内を移行する、電気コネクタ組立体を取り外し可能にロックするための方法を提供する。本開示はまた、ハウジングの前面が、前面から延在する第2のフランジをさらに備え、受容器部材が第2の突起をさらに備え、ハウジングが第1の位置にあるときには、第2のフランジが第2の突起を避けるように位置決めされ、ハウジングが第2の位置にあるときには、第2のフランジが第2の突起にロッキング係合される、電気コネクタ組立体を取り外し可能にロックするための方法を提供する。
【００２１】
本開示はまた、ハウジングの前面が、前面から延在する第3のフランジ及び第4のフランジをさらに備え、受容器部材が第3の突起及び第4の突起をさらに備え、ハウジングが第1の位置にあるときには、第3のフランジが第3の突起を避けるように位置決めされ、また第4のフランジが第4の突起を避けるように位置決めされ、ハウジングが第2の位置にあるときには、第3のフランジが第3の突起にロッキング係合され、また第4のフランジが第4の突起にロッキング係合される、電気コネクタ組立体を取り外し可能にロックするための方法を提供する。
【００２２】
本開示はまた、ハウジングが上面をさらに備え、可動ロック部材がハウジングの上面に解放可能に固定される、電気コネクタ組立体を取り外し可能にロックするための方法を提供する。本開示はまた、上面が第1及び第2のレールを備え、可動ロック部材が第1及び第2のレール拡張部を備え、第1及び第2のレール拡張部を第1及び第2のレールに挿入することにより、可動ロック部材がハウジングに解放可能に固定される、電気コネクタ組立体を取り外し可能にロックするための方法を提供する。本開示はまた、第1及び第2のレールに対するレール拡張部の移動を介して可動ロック部材が移動する、電気コネクタ組立体を取り外し可能にロックするための方法を提供する。
【００２３】
本開示はまた、可動ロック部材がハウジングの前面の方へ移動してハウジングを受容空洞内に取り外し可能にロックすると、ハウジングの前面と可動ロック部材が実質的に同一平面になる、電気コネクタ組立体を取り外し可能にロックするための方法を提供する。
【００２４】
本開示はまた、可動ロック部材が、ロックヘッド並びに第1及び第2のロックタブをさらに備え、可動ロック部材がハウジングの前面の方へ移動してハウジングを受容空洞内に取り外し可能にロックすると、ロックヘッド並びに第1及び第2のロックタブが受容器部材にロッキング係合される、電気コネクタ組立体を取り外し可能にロックするための方法を提供する。
【００２５】
本開示はまた、ハウジングが、受容空間を画定する高密度モジュラ通信ジャックハウジングであり、受容空間が、受容空間内に挿入された接続組立体から信号を受信するように適合されている、電気コネクタ組立体を取り外し可能にロックするための方法を提供する。本開示はまた、可動ロック部材がハウジングの前面まで移動してハウジングを受容空洞内に取り外し可能にロックすると、可動ロック部材のタブがハウジングの凹部に解放可能に係合する、電気コネクタ組立体を取り外し可能にロックするための方法を提供する。
【００２６】
本開示はまた、前面、左側面、及び右側面を画定するハウジングであり、前面が、前面から延在する第1のフランジを備え、左及び右の側面のそれぞれが溝を備える、ハウジングと、ハウジングに解放可能に固定される可動ロック部材とを備える、電気コネクタ組立体であって、可動ロック部材が、ハウジングを受容器部材の受容空洞内の第1の位置まで移動可能とするために、前面から離れる方向に移動されるように構成及び寸法取りされており、受容器部材が、第1の突起、第2の突起、及び第3の突起を有し、第1のフランジが、ハウジングが第1の位置まで移動されるときに第1の突起を避けるように、構成及び寸法取りされており、ハウジングが第1の位置にあるときには、第2の突起が右側面の溝内に位置決めされ、また第3の突起が左側面の溝内に位置決めされ、可動ロック部材が、ハウジングが受容空洞内の第2の位置まで第1の突起の方へ移動した後で、ハウジングの前面の方へ移動されて、ハウジングを受容空洞内に取り外し可能にロックするように、構成及び寸法取りされており、ハウジングが第2の位置にあるときには、第1のフランジが第1の突起にロッキング係合されて、ハウジングが受容空洞から取り外されるのを防止する、電気コネクタ組立体を提供する。
【００２７】
本開示はまた、ハウジングが第1の位置から第2の位置まで移動されるときに、第2及び第3の突起が右及び左の側面の溝内を移行する、電気コネクタ組立体を提供する。
【００２８】
開示された本開示のシステム、組立体、及び方法のさらなる有利な特徴、機能、及び用途は、以下の説明を特に添付の図面と併せて読めば明らかになろう。
【００２９】
開示されたシステム、組立体、及び方法を当業者が製造及び使用するのを支援するために、添付の図面を参照する。
【図面の簡単な説明】
【００３０】
【図１】本開示の例示的な実施形態による電気コネクタ組立体の、組立て前の側面斜視図である。
【図２】図1の電気コネクタ組立体の、部分的な側面斜視図である。
【図３】図1の電気コネクタ組立体の、組立て後の側面斜視図である。
【図４】本開示の別の例示的な実施形態による電気コネクタ組立体の、組立て前の側面斜視図である。
【図５】図4の電気コネクタ組立体の、組立て前の側面斜視図である。
【図６】図6は、図4の電気コネクタ組立体の、組立て後の側面斜視図である。
【図６Ａ】図6Aは、図4の電気コネクタ組立体の、組立て後の部分的な分解側面斜視図である。
【発明を実施するための形態】
【００３１】
以下の説明において、同様の部品はそれぞれ、本明細書及び図面の全体にわたって同じ参照番号で表示されている。図面の描画は必ずしも原寸通りではなく、また、特定の図においては、明瞭にするために、部品が誇張されている場合もある。
【００３２】
本開示は、音声/データ通信システムで使用するための有利なジャック組立体/ハウジングを提供する。より詳細には、本開示は、ジャックパネル又はジャック表面板との間で容易に固定及び/又は固定解除されるジャック組立体/ハウジングのための改良されたシステム/設計を提供する。例示的な実施形態では、本開示は、可動ロック部材及び関連した組立体を備える有利なモジュラジャック組立体を利用することにより、ジャック組立体/ハウジングをジャックパネル/表面板との間で(例えば、現場で)容易に固定及び/又は固定解除するための、改良され、使い勝手が良く、低コストで効率的なシステム及び方法を提供する。
【００３３】
現在の慣行は、従来のジャック組立体/ハウジングを既存のジャックパネル/表面板との間で固定/付着又は固定解除/付着解除することを、操作者又は技術者にとって非常に困難で時間のかかるものにしている。付着又は付着解除すべきジャック組立体/ハウジングが、狭く且つ/又は限られた作業空間に設置されている場合、及び/又は、多重に隣接したジャック組立体/ハウジング、媒体、コネクタ/プラグ組合せ等のすぐそば及び/又は隣にある場合には、特にそうである。例示的な実施形態では、本開示は、ジャックパネル又はジャック表面板との間で容易に固定及び/又は固定解除されるジャック組立体/ハウジングのための、使い勝手が良く、低コストで効率的なシステム/設計を提供し、それにより結果的に、製造上及び商業上の大きな利点を提供する。
【００３４】
次に図を参照すると、例示的な電気コネクタ組立体又はモジュラジャック組立体10が示されている。一般に、電気コネクタ組立体10は、ジャックハウジング12(例えば、高密度モジュラ通信ジャックハウジング)を備え、このジャックハウジング12は、ジャックハウジング12の受容空間14に挿入又は導入された嵌合接続組立体(例えば、RJ-45プラグや、IEC 60603-7-7に準拠したプラグなどの、プラグコネクタ)から信号を受信するように適合されている。したがって、ジャックハウジング12の関連した接点(例えば、八つの接点)又は同様のものは、ジャックハウジング12の受容空間14に導入されたデータ信号伝送媒体プラグ要素/接点と電気通信するように位置決めされている。一般に、ジャックハウジング12は、様々な用途、例えば、高周波データ伝送媒体とのインタフェース、データ伝送デバイス又は同様のものとの接続等での使用に適している。例えば、ジャックハウジング12をプリント回路板(PCB)に設置し、信号を受容空間14に導入されたプラグコネクタからPCBへ、次いで絶縁変位接点(IDC)へ伝送し、それにより組立体10を通してデータインタフェース及びデータ伝送を完了することができる。
【００３５】
図1〜図3に示されているように、ジャックハウジング12は通常、前面16、上面18、底面20、左側面22、及び右側面24を備えて、受容空間14を画定する。例示的な実施形態では、電気コネクタ組立体10はまた、可動ロック部材26を備える。一般に、可動ロック部材26は、ジャックハウジング12に解放可能に固定又は付着される(例えば、摩擦により所定の位置に保持される)ように構成及び寸法取りされた、細長い部材である。可動ロック部材26は通常、可動ロック部材26の遠位のロックヘッド38上に位置決めされたロックタブ33、35を備える。
【００３６】
例えば、一実施形態におけるジャックハウジング12は、ジャックハウジング12の上面18上にロック部材レール又は拡張部28、30を備え、これらは、可動ロック部材26をジャックハウジング12の上面18に解放可能に固定又は付着することを可能とするように、構成及び寸法取りされている。図1〜図3に示されているように、レール28、30は、可動ロック部材26のレール拡張部32、34を上面18のレール28、30の少なくとも一部分の下で移行又は摺動させて、可動ロック部材26を上面18の一部分に沿って摺動又は移動できるようにする。このようにして、レール拡張部32、34が少なくとも部分的には上面18のレール28、30の下に位置決めされるまで、可動ロック部材26の近位端部36を前面16からジャックハウジング12の上面18に沿って摺動させることにより、可動ロック部材26が上面18に挿入又は固定される。可動ロック部材26がそのように位置決めされると(図2)、レール28、30は、可動ロック部材26を上面18に解放可能に固定し、また、レール拡張部32、34をレール28、30の下で移動又は摺動させて、可動ロック部材26をジャックハウジング12の上面18に沿って移行できるようにする。図2に示されているように、可動ロック部材26のロックヘッド38は、可動ロック部材26がロックヘッド38と上面18のレール28、30とが係合する位置を越えて近位に移動するのを防止する。
【００３７】
図1〜図3に示されているように、ジャックハウジング12の左側面22は通常、少なくとも一つの溝40を備え、ジャックハウジング12の右側面24は通常、少なくとも一つの溝42を備える。溝40、42は通常、ジャックハウジング12の各側面22、24に沿って上面18から底面20へ延在するが、本開示はそれに限定されるものではない。
【００３８】
例示的な実施形態では、ジャックハウジング12の前面16は、前面16から延在する少なくとも一つのフランジを含む。一実施形態では、図1〜図3に示されているように、前面16は、前面16から延在する下部フランジ44、46及び上部フランジ48、50を含む。下部フランジ44は通常、左側面22を越えて横方向外向きに延在し且つ底面20より下に下向きに延在する。下部フランジ46は通常、右側面24を越えて横方向外向きに延在し且つ底面20より下に下向きに延在する。上部フランジ48は通常、左側面22を越えて横方向外向きに延在し、上部フランジ50は通常、右側面24を越えて横方向外向きに延在する。
【００３９】
例示的な一実施形態では、図1及び図3に示されているように、電気コネクタ組立体10は、受容器部材又はパネル部材52を備える。例示的な受容器部材52は、ジャックパネル(例えば、シングルギャング又はマルチギャングのジャックパネル部材)の形状をとるが、本開示はそれに限定されるものではない。むしろ、受容器部材52は、様々な形状(例えば、後述のように、表面板のためのベゼル型受容器部材152)をとることができる。一般に、受容器部材52は、ジャックハウジング12を受容し且つ/又は解放可能に固定若しくはロックするように適合された少なくとも一つの受容空洞54を画定するように、構成及び寸法取りされている。図1及び図3に示されているように、受容器部材52は、各受容空洞54がジャックハウジング12を受容し且つ/又は解放可能に固定若しくはロックするように適合された状態で、複数の受容空洞54を画定する。
【００４０】
受容器部材52の受容空洞54は通常、少なくとも一つの側部突起、及び少なくとも一つの底部突起を備える。例示的な一実施形態では、図1及び図3に示されているように、受容器部材52は、二つの側部突起56、58、及び二つの底部突起60、62を備える。例示的な実施形態では、図1〜図3に示されているように、側部突起56、58及び底部突起60、62は、解放可能に固定された可動ロック部材26が(図2に示されているように)ジャックハウジング12の前面16から離れた位置まで移動されたときに、ジャックハウジング12の少なくとも一部分を受容空洞54内に挿入又は位置決めすることができるように、構成及び寸法取りされている。言い換えれば、可動ロック部材26を前面16から離れた位置まで移動させると(図2)、ジャックハウジング12の少なくとも一部分を受容空洞54内に挿入又は位置決めすることができる。より具体的には、ジャックハウジング12の上面18が受容空洞54の上部壁64の近くに位置決めされる場合、側部突起56、58及び底部突起60、62は、ジャックハウジング12が受容空洞54内に挿入又は位置決めされる(例えば、図1に対して遠位に前進される)につれて可動ロック部材26が前面16から離れた位置まで移動される(また、ジャックハウジング12の上面18が受容空洞54の上部壁64の近くに位置決めされる)ときに、ジャックハウジング12の上部フランジ48、50及び下部フランジ44、46が受容空洞54のそれぞれの側部突起56、58及び底部突起60、62を避けられるように、構成及び寸法取りされている。
【００４１】
ジャックハウジング12をこの上記の位置まで移動させると、上面18は上部壁64の近くにあり、上部フランジ48、50は側部突起56、58の正面及び上方の遠位に位置決めされ、下部フランジ44、46は底部突起60、62の正面及び上方の遠位に位置決めされ、その結果、側部突起56はジャックハウジング12の左側面22の溝40内に位置決めされ、側部突起58はジャックハウジング12の右側面の溝42内に位置決めされる。したがって、ジャックハウジング12は次いで、側部突起56を溝40内で移動又は摺動させ、また側部突起58を溝42内で移動又は摺動させて、ジャックハウジング12がある位置に移動するまで、下方に移動又は摺動させることができる。このある位置とは、下部フランジ44の少なくとも一部分が底部突起60の遠位真正面にあり且つ/又はそれとロッキング係合し、また下部フランジ46の少なくとも一部分が底部突起62の遠位真正面にあり且つ/又はそれとロッキング係合する位置であり、また、上部フランジ48の少なくとも一部分が側部突起56の少なくとも一部分の遠位真正面にあり且つ/又はそれとロッキング係合し、また上部フランジ50の少なくとも一部分が側部突起58の少なくとも一部分の遠位真正面にあり且つ/又はそれとロッキング係合する位置である(或いは、上部フランジ48、50は、ハウジング12がそのような位置にあるときに、側部突起56、58の遠位正面にあり且つ/又はそれとロッキング係合していなくてもよい)。図3に最も良く示されているように、ジャックハウジング12をこの位置まで移動させてから、次いで、可動ロック部材26のロックヘッド38及び/又はロックタブ33、35が受容器部材52及び/又はハウジング12にロッキング係合してジャックハウジング12を受容器部材52内に又はそれに対して解放可能にロック又は固定するまで、可動ロック部材26を受容器部材52の方へ遠位に前進させることができる。一実施形態では、可動ロック部材26を遠位に前進させてジャックハウジング12を固定すると、ジャックハウジング12の前面とロック部材26の前面は、実質的に互いに同一平面になる。
【００４２】
例示的な実施形態では、ジャックハウジング12の上面18は、凹部13又は同様のもの(例えば、上面18の近位部に一体化された小凹部)を備え、この凹部13は、可動ロック部材を遠位に前進させてジャックハウジング12を受容器部材52内に又はそれに対して固定したとき(図3)に、可動ロック部材26の底面にあるタブ又は突出部(隠されている)に係合するように、構成及び寸法取りされている。可動ロック部材26のタブ又は突出部と上面18の凹部13とのそのような係合は、ジャックハウジング12を受容器部材52内に又はそれに対してさらにロック/固定して、可動ロック部材26が受容器部材52及び/又はハウジング12から容易には係脱されないようにする。可動ロック部材26のタブ又は突出部は、可動ロック部材26を持ち上げることにより凹部13から係脱させることができ、それによって、使用者は、可動ロック部材を近位に移動させる(例えば、ジャックハウジング12を受容器部材52から解放する又はロック解除するために、部材26を図2に示されているような位置まで近位に移動又は摺動させる)ことが可能になる。
【００４３】
一般に、可動ロック部材26を遠位に前進させてジャックハウジング12を固定すると、係合されたロックヘッド38及び/又は係合されたロックタブ33、35は、側部突起56、58が溝40、42内で移動するのを防止し、また、ジャックハウジング12が受容器部材52から(例えば、遠位に又は近位に)取り外されるのを防止する。さらに、溝40、42の近位縁部もまた、ジャックハウジング12が受容器部材52から(例えば、遠位に)取り外されるのを(例えば、側部突起56、58との係合を介して)防止する。同様に、底部突起60、62に係合した下部フランジ44、46、及び側部突起56、58に係合した上部フランジ48、50も、ジャックハウジング12が受容器部材52から(例えば、遠位に又は近位に)取り外されるのを防止する。上述のように、一代替実施形態では、上部フランジ48、50は、側部突起56、58に係合する必要はない(例えば、上部フランジ48、50は、受容器部材52の他の部分に接触して係合していてもよい)。
【００４４】
ジャックハウジング12を受容器部材52から解放する又はロック解除するには、まず、可動ロック部材26を、図2に示されているような位置まで近位に移動又は摺動させる。そうすると、下部フランジ44、46が底部突起60、62の上に、また上部フランジ48、50が側部突起56、58の上に位置するように、ジャックハウジング12を(側部突起56、58を溝40、42内で移行させて)上方へ移動させることができ、したがって、次いでジャックハウジングを、受容器部材52からの係合を外し且つ受容器部材から離すように、近位に移動させることができる。
【００４５】
例示的な実施形態では、図1〜図3に示されているように、可動ロック部材26は、近位端部36を有する細長い部材である。ジャックハウジング12から延在する近位端部36を持つことにより、操作者又は技術者は、可動ロック部材をどちらの方向にも(例えば、近位に又は遠位に)迅速且つ容易に移動させることが可能になる。したがってこのことは、有利なことには、たとえ困難な状況下(例えば、現場で、ジャックハウジング12が、狭く且つ/又は限られた作業空間に設置されている場合、及び/又は、ジャックハウジング12が、多重に隣接したジャック組立体/ハウジング、媒体、コネクタ/プラグ組合せ等のすぐそば及び/又は隣にある場合)であっても、操作者又は技術者がジャックハウジング12を受容器部材52から迅速且つ容易に固定/付着又は固定解除/付着解除できるようにする。
【００４６】
さらに、可動ロック部材26の近位端部36を、ユーザフレンドリーな材料(例えば、ナイロン)及び/又は色(例えば、明色)で浸漬又は被覆等をして、技術者/操作者による可動ロック部材26の使いやすさをさらに高め且つ助長することができる。さらに、細長い可動ロック部材26、及びより詳細には近位端部36は、所望に応じて、便利で効率的なケーブルアクセスのためのケーブル管理機能を備えることができる。例えば、ロック部材26及び/又は近位端部36は、ケーブル管理ガイド構造又は同様のもの、ケーブル収容スプール又は同様のもの等を備えるか、或いはそれらと動作的に関連することができる。別の実施形態では、可動ロック部材26(例えば、近位端部36)は、ケーブル張力緩和部材又は同様のものを備えるか、或いはそれと一体化することができる。例えば、ケーブル張力緩和部材は、下方に曲がってケーブル(例えば、ジャックハウジング12から出ているケーブル)を挟み込む/そのケーブルに付着するように、構成及び寸法取りされ、それにより、可動ロック部材26のさらなるロックを(例えば、可動ロック部材26が遠位に前進されてジャックハウジング12を受容器部材52内に又はそれに対して固定した後で)実現するとともに、付着したケーブルの張力緩和を実現する。
【００４７】
図1〜図3に示されているように、例示的な可動ロック部材26は、細長いロック部材の形状をとる。しかし、可動ロック部材26は、様々な他の形状をとることができる。例えば、可動ロック部材26は、上面、右側面、左側面、及び/又は底面、並びにそれらの任意の組合せを備えることができる。例えば、可動ロック部材26は、上面、左側面、及び/若しくは右側面がジャックハウジング12の少なくとも一部分を形成又は画定した状態で、上面、右側面、及び左側面を備えることができる。一実施形態では、可動ロック部材26は(例えば、ジャックハウジング12及び/又は組立体10にシールド機能を提供するために)、ジャックハウジング12のかなりの部分若しくはセクションを形成又は画定する。
【００４８】
本開示の一代替実施形態では、図4〜図6に示されているように、電気コネクタ組立体110は、ジャックハウジング112の受容空間114に挿入又は導入される嵌合接続組立体(例えば、プラグコネクタ)からの信号を受信するように適合された、ジャックハウジング112(例えば、高密度モジュラ通信ジャックハウジング)を備える。一般に、ジャックハウジング112の関連した接点(例えば、八つの接点)又は同種のものは、受容空間114に導入されるデータ信号伝送媒体プラグ要素/接点と電気通信するように位置決めされている。
【００４９】
図4〜図6に示されているように、ジャックハウジング112は通常、前面116、上面118、底面120、左側面122、及び右側面124を備えて、受容空間114を画定する。電気コネクタ組立体110は通常、可動ロック部材126も備える。部材26と同様に、可動ロック部材126は通常、ジャックハウジング112に解放可能に固定又は付着される(例えば、摩擦により所定の位置に保持される)ように構成及び寸法取りされた、細長い部材である。可動ロック部材126は通常、遠位のロックヘッド138上に位置決めされたロックタブ133、135を備える。
【００５０】
一実施形態におけるジャックハウジング112は、上面118上にロック部材レール又は拡張部128、130を備え、これらは、可動ロック部材126を上面118に解放可能に固定/付着することを可能とするように、構成及び寸法取りされている。一般に、レール128、130は、可動ロック部材126のレール拡張部132、134をレール128、130の少なくとも一部分の下で移行又は摺動させて、可動ロック部材126を上面118の一部分に沿って摺動又は移動できるようにする。例えば、レール拡張部132、134が少なくとも部分的にはレール128、130の下に位置決めされるまで、可動ロック部材126の近位端部136を前面116から上面118に沿って摺動させることにより、可動ロック部材126を上面118に挿入又は固定することができる。部材126がそのように位置決めされると(図4〜図5)、レール128、130は、可動ロック部材126を上面118に解放可能に固定し、また、レール拡張部132、134をレール128、130の下で移動又は摺動させて、可動ロック部材126を上面118に沿って移行できるようにする。ロックヘッド138は通常、可動ロック部材126がロックヘッド138と上面118のレール128、130とが係合する位置を越えて近位に移動するのを防止する。
【００５１】
ジャックハウジング112の左側面122は通常、少なくとも一つの溝140を備え、ジャックハウジング112の右側面124は通常、少なくとも一つの溝142を備える。一実施形態では、溝140、142は、側面122、124に沿って上面118から底面120へ延在する。
【００５２】
ジャックハウジング12と同様に、ジャックハウジング112の前面116は通常、前面116から延在する少なくとも一つのフランジを備える。一実施形態では、前面116は、前面116から延在する下部フランジ144、146及び上部フランジ148、150を備える。下部フランジ144は通常、左側面122を越えて横方向外向きに延在し且つ底面120より下に下向きに延在する。下部フランジ146は通常、右側面124を越えて横方向外向きに延在し且つ底面120より下に下向きに延在する。上部フランジ148は通常、左側面122を越えて横方向外向きに延在し、上部フランジ150は通常、右側面124を越えて横方向外向きに延在する。
【００５３】
一般に、また、図4〜図6に示されているように、電気コネクタ組立体110は、受容器部材152を備える。例示的な受容器部材152は、表面板153(例えば、壁に設置された表面板又はワークステーションのプラグ差込口153)のための、ベゼル又はベゼル型の受容器部材152の形状を取るが、本開示はそれに限定されるものではない。むしろ、受容器部材152は、様々な形状をとることができる。表面板153は通常、様々な電気通信線及び有線通信線の接続に適したアダプタ/レセプタクル等を収容するように、適合されている。表面板153はまた、壁の裏側でのケーブル/設備の設置及び/又は管理に適している。表面板153は通常、壁係合要素を受け入れるように構成された、少なくとも一つの壁(又は同様の構造)取り付け要素155(例えば、締結穴)を備える。
【００５４】
例示的な受容器部材152(例えば、ベゼル)は、表面板153の受容空間157内に挿入されるように構成及び寸法取りされている。一実施形態(図4)では、受容器部材152は、表面板153の前面から挿入されて、空間157内に固定されるまで、受容空間157の方へ近位に前進される(例えば、部材152は、前面から空間157内にスナップ嵌めすることができる)。受容器部材152は、受容空間157内に挿入されるときに、受容器部材152内に固定されたジャックハウジング112を有することも有さないこともありうる。一実施形態では、受容器部材152の前面は、受容器部材152が空間157内に挿入されると、表面板153の前面と実質的に同一平面になる。
【００５５】
一般に、受容器部材152は、ジャックハウジング112を受容し且つ/又は解放可能に固定若しくはロックするように適合された少なくとも一つの受容空洞154を画定するように、構成及び寸法取りされている。各受容空洞154がジャックハウジング112を受容し且つ/又は解放可能に固定若しくはロックするように適合された状態で、受容器部材152が複数の受容空洞154を画定できることに注意されたい。
【００５６】
受容器部材152の受容空洞154は通常、少なくとも一つの側部突起、及び少なくとも一つの底部突起を備える。例示的な一実施形態では、受容器部材152は、二つの側部突起156、158、及び二つの底部突起160、162を備える。側部突起156、158、及び底部突起160、162は通常、解放可能に固定された可動ロック部材126がジャックハウジング112の前面116から離れた位置まで移動されたときに、ジャックハウジング112の少なくとも一部分を受容空洞154内に挿入又は位置決めすることができるように、構成及び寸法取りされている。したがって、可動ロック部材126を前面116から離れた位置まで移動させると、ジャックハウジング112の少なくとも一部分を受容空洞154内に挿入又は位置決めすることができる。より具体的には、上面118が受容空洞154の上部壁164の近くに位置決めされる場合、側部突起156、158及び底部突起160、162は、ジャックハウジング112が受容空洞154内に挿入又は位置決めされる(例えば、図4に対して遠位に前進される)につれて可動ロック部材126が前面116から離れた位置まで移動される(また、ジャックハウジング112の上面118が受容空洞154の上部壁164の近くに位置決めされる)ときに、ジャックハウジング112の上部フランジ148、150及び下部フランジ144、146が受容空洞154のそれぞれの側部突起156、158及び底部突起160、162を避けられるように、構成及び寸法取りされている。
【００５７】
ジャックハウジング112をこの上記の位置まで移動させると、上面118は上壁164の近くにあり、上部フランジ148、150は側部突起156、158の(少なくとも一部分の)正面及び上方の遠位に位置決めされ、下部フランジ144、146は底部突起160、162の正面及び上方の遠位に位置決めされ、その結果、側部突起156の少なくとも一部分はジャックハウジング112の左側面122の溝140内に位置決めされ、側部突起158の少なくとも一部分はジャックハウジング112の右側面の溝142内に位置決めされる。したがって、ジャックハウジング112は次いで、側部突起156を溝140内で移動又は摺動させ、また側部突起158を溝142内で移動又は摺動させて、ジャックハウジング112がある位置に移動するまで、下方に移動又は摺動させることができる。このある位置とは、下部フランジ144の少なくとも一部分が底部突起160の遠位真正面にあり且つ/又はそれとロッキング係合し、また下部フランジ146の少なくとも一部分が底部突起162の遠位真正面にあり且つ/又はそれとロッキング係合する位置であり、また、上部フランジ148の少なくとも一部分が側部突起156の少なくとも一部分の遠位真正面にあり且つ/又はそれとロッキング係合し、また上部フランジ150の少なくとも一部分が側部突起158の少なくとも一部分の遠位真正面にあり且つ/又はそれとロッキング係合する位置である(或いは、上部フランジ148、150は、ハウジング112がそのような位置にあるときに、側部突起156、158の遠位正面にあり且つ/又はそれとロッキング係合していなくてもよい)。図6及び図6Aに最も良く示されているように、ジャックハウジング112をこの位置まで移動させてから、次いで、可動ロック部材126のロックヘッド138及び/又はロックタブ133、135が受容器部材152及び/又はハウジング112にロッキング係合してジャックハウジング112を受容器部材152内に又はそれに対して解放可能にロック又は固定するまで、可動ロック部材126を受容器部材152の方へ遠位に前進させることができる。一実施形態では、可動ロック部材126を遠位に前進させてジャックハウジング112を固定した後で、ジャックハウジング112の前面とロック部材126の前面は、実質的に互いに(また図6及び図6Aに示されているように、表面板153の前面と)同一平面になる。
【００５８】
例示的な実施形態では、ジャックハウジング112の上面118は、凹部又は同様のもの(例えば、上面118の近位部に一体化された小凹部)を備え、この凹部は、可動ロック部材を遠位に前進させてジャックハウジング112を受容器部材152内に又はそれに対して固定したとき(図6)に、可動ロック部材126の底面にあるタブ又は突出部に係合するように、構成及び寸法取りされている。可動ロック部材126のタブ又は突出部と上面118の凹部とのそのような係合は、ジャックハウジング112を受容器部材152内に又はそれに対してさらにロック/固定して、可動ロック部材126が受容器部材152及び/又はハウジング112から容易には係脱されないようにする。可動ロック部材126のタブ又は突出部は、可動ロック部材126を持ち上げることにより凹部から係脱させることができ、それによって、使用者は、可動ロック部材126を近位に移動させる(例えば、ジャックハウジング112を受容器部材152から解放する又はロック解除するために、部材126を近位に移動又は摺動させる)ことが可能になる。
【００５９】
一般に、可動ロック部材126を遠位に前進させてジャックハウジング112を固定すると、係合されたロックヘッド138及び/又は係合されたロックタブ133、135は、側部突起156、158が溝140、142内で移動するのを防止し、また、ジャックハウジング112が受容器部材152から(例えば、遠位に又は近位に)取り外されるのを防止する。さらに、溝140、142の近位縁部もまた、ジャックハウジング112が受容器部材152から(例えば、遠位に)取り外されるのを(例えば、側部突起156、158との係合を介して)防止する。同様に、底部突起160、162に係合した下部フランジ144、146、及び側部突起156、158に係合した上部フランジ148、150も、ジャックハウジング112が受容器部材152から(例えば、遠位に又は近位に)取り外されるのを防止する。上述のように、一代替実施形態では、上部フランジ148、150は、側部突起156、158に係合する必要はない(例えば、上部フランジ148、150は、受容器部材152の他の部分に接触して係合していてもよい)。
【００６０】
ジャックハウジング112を受容器部材152から解放する又はロック解除するには、まず、ロックヘッドがレール128、130に係合又は隣接するまで、可動ロック部材126を近位に移動又は摺動させる。そうすると、下部フランジ144、146が底部突起160、162の上に、また上部フランジ148、150が側部突起156、158の上に位置するように、ジャックハウジング112を(例えば、側部突起156、158を溝140、142内で移行させて)上方へ移動させることができ、次いでジャックハウジング112を、受容器部材152からの係合を外し且つ受容器部材152から離すように、近位に移動させることができる。
【００６１】
部材26と同様に、可動ロック部材126は、近位端部136を有する細長い部材とすることができる。ジャックハウジング112から延在する近位端部136を持つことにより、操作者又は技術者は、可動ロック部材126をどちらの方向にも(例えば、近位に又は遠位に)迅速且つ容易に移動させることが可能になる。したがってこのことは、有利なことには、たとえ困難な状況下(例えば、現場で、ジャックハウジング112が、狭く且つ/又は限られた作業空間に設置されている場合、及び/又は、ジャックハウジング112が、多重に隣接したジャック組立体/ハウジング、媒体、コネクタ/プラグ組合せ等のすぐそば及び/又は隣にある場合)であっても、操作者がジャックハウジング112を受容器部材152から迅速且つ容易に固定/付着又は固定解除/付着解除できるようにする。
【００６２】
さらに、可動ロック部材126の近位端部136を、ユーザフレンドリーな材料(例えば、ナイロン)及び/又は色(例えば、明色)で浸漬又は被覆等をして、技術者/操作者による可動ロック部材126の使いやすさをさらに高め且つ助長することができる。さらに、細長い可動ロック部材126、及びより詳細には近位端部136は、所望に応じて、便利で効率的なケーブルアクセスのためのケーブル管理機能を備えることができる。例えば、ロック部材126及び/又は近位端部136は、ケーブル管理ガイド構造又は同様のもの、ケーブル収容スプール又は同様のもの等を備えるか、或いはそれらと動作的に関連することができる。別の実施形態では、可動ロック部材126(例えば、近位端部136)は、ケーブル張力緩和部材又は同様のものを備えるか、或いはそれと一体化することができる。例えば、ケーブル張力緩和部材は、下方に曲がってケーブル(例えば、ジャックハウジング112から出ているケーブル)を挟み込む/そのケーブルに付着するように、構成及び寸法取りされ、それにより、可動ロック部材126のさらなるロックを(例えば、可動ロック部材126が遠位に前進されてジャックハウジング112を受容器部材152内に又はそれに対して固定した後で)実現するとともに、付着したケーブルの張力緩和を実現する。
【００６３】
例示的な可動ロック部材126は、細長いロック部材の形状をとる。しかし、可動ロック部材126は、様々な他の形状をとることができる。例えば、可動ロック部材126は、上面、右側面、左側面、及び/又は底面、並びにそれらの任意の組合せを備えることができる。例えば、部材26と同様に、可動ロック部材126は、上面、左側面、及び/又は右側面がジャックハウジング112の少なくとも一部分を形成又は画定した状態で、上面、右側面、及び左側面を備えることができる。一実施形態では、可動ロック部材126は(例えば、ジャックハウジング112及び/又は組立体110にシールド機能を提供するために)、ジャックハウジング112のかなりの部分若しくはセクションを形成又は画定する。
【００６４】
本開示のシステム、組立体、及び方法について、その例示的な実施形態を参照しながら説明してきたが、本開示は、そのような例示的な実施形態及び/又は実施に限定されるものではない。むしろ、本開示のシステム、組立体、及び方法は、当業者には本開示から容易に明らかであろうように、多くの実装及び用途に影響されるものである。本開示は、開示された実施形態のそのような修正形態、改善形態、及び/又は変形形態を、明白に包含する。本開示の範囲から逸脱することなく、上記の構造に多くの変更を行うことができ、また、多数の本開示の広範に異なる実施形態を行うことができるので、図面及び明細書に含まれるあらゆる内容は、例示的なものとして解釈されるべきものであって、限定的な意味で解釈されるべきではないことが意図されている。さらなる修正形態、変更、及び置換が、前述の開示において意図されている。したがって、添付の特許請求の範囲が広義に且つ本開示の範囲に整合した態様で解釈されることが、適切である。
【図１】
2013541160.tif 000003
【図２】
2013541160.tif 000004
【図３】
2013541160.tif 000005
【図４】
2013541160.tif 000006
【図５】
2013541160.tif 000007
【図６】
2013541160.tif 000008
【図６Ａ】
2013541160.tif 000009
【国際調査報告】
2013541160.tif 000010